(57)【要約】【課題】小型化してもテコ比を大きくすることでコネクタを接合するときの操作力が大きくなることを抑制することができるレバー式コネクタを提供する。【解決手段】相手側コネクタ７に接合されるコネクタ３と、相手側コネクタ７の所定の箇所に設けられている係合部９が係合する細長い被係合部１１が設けられ、所定の回動中心軸Ｃ１を回動中心にしてコネクタ３に回動自在に設けられ、係合部９が被係合部１１に係合している状態でコネクタ３に対し回動することで係合部９を被係合部１１の長手方向に沿って移動させ、コネクタ３を相手側コネクタ７に接合するレバー５とを有し、回動中心軸Ｃ１のところで被係合部１１が回動中心軸Ｃ１に重なっていることを特徴とするレバー式コネクタ１である。【選択図】図１
2015056281.tif 000002
【特許請求の範囲】
【請求項１】
相手側コネクタに接合されるコネクタと、
前記相手側コネクタの所定の箇所に設けられている係合部が係合する細長い被係合部が設けられ、所定の回動中心軸を回動中心にして前記コネクタに回動自在に設けられ、前記係合部が前記被係合部に係合している状態で前記コネクタに対し回動することで前記係合部を前記被係合部の長手方向に沿って移動させ、前記コネクタを前記相手側コネクタに接合するレバーとを有し、
前記被係合部は、前記回動中心軸のところから前記回動中心軸から離れるように延びており、前記回動中心軸のところでは前記回動中心軸に重なっているかもしくは前記回動中心軸に隣接しており、前記コネクタの前記相手側コネクタへの接合が進むにしたがって、前記係合部が前記被係合部の前記回動中心軸側に移動するように構成されていることを特徴とするレバー式コネクタ。
【請求項２】
請求項１に記載のレバー式コネクタにおいて、
前記レバーは平板状に形成されていてこの厚さ方向が前記回動中心軸の延伸方向と一致しており、
前記レバーの厚さ方向の一方の面には、前記レバーを前記回動中心軸まわりで回動させるための円柱状の回動被支持部が突出して設けられており、
前記レバーの厚さ方向の他方の面には、前記被係合部が凹んで設けられており、
前記係合部は、前記被係合部に入り込んでいる突起で形成されており、
前記レバーの厚さ方向から見たときに、前記回動被支持部と、前記回動中心軸側の前記被係合部の部位とがお互いに重なっているかもしくは隣接していることを特徴とするレバー式コネクタ。
【請求項３】
請求項２記載のレバー式コネクタにおいて、
前記コネクタが前記相手側コネクタに接合されている状態を前記回動中心軸の延伸方向から見ると、前記レバーが前記コネクタの内側に入っていることを特徴とするレバー式コネクタ。
【発明の詳細な説明】
【技術分野】
【０００１】
本発明は、レバー式コネクタに係り、特に、レバーを回動することで相手側コネクタに接合されるものに関する。
【背景技術】
【０００２】
従来、図９〜図１１で示すようなレバー式コネクタ３０１が知られている（たとえば、特許文献１参照）。
【０００３】
レバー式コネクタ３０１は、複数のサブコネクタ３０３とこれらのサブコネクタ３０３を収容するホルダ３０５とを備えて構成されたメスコネクタ３０６と、ホルダ３０５に回動自在に取り付けられたレバー３０９とを備えている。
【０００４】
そして、レバー３０９の回動操作に伴う雄側コネクタ３０７との間のカム作用によって、メスコネクタ３０６の雄側コネクタ３０７への嵌合動作を行うようになっている。
【０００５】
ホルダ３０５には、上面壁３１１と天井壁３１３との間の空間であってレバー３０９を収容するために空間である収容凹部３１５が設けられている。収容凹部３１５内には、天井壁３１３から上向きに突設された支持軸部３１７が設けられている。
【０００６】
レバー３０９には、円形の軸受け孔３１９が設けられている。軸受け孔３１９は、ホルダ３０５の支持軸部３１７に嵌合されている。そして、レバー３０９が支持軸部３１７を中心にしてホルダ３０５に対し回動するようになっている。
【０００７】
また、レバー３０９には、雄側コネクタ３０７のカムピン３２３が係合するカム溝３２５が形成されている。そして、レバー３０９を回動操作することで、カムピン３２３とカム溝３２５とのカム作用により、両コネクタ３０６，３０７が引き寄せられお互いが接合されるようになっている。なお、レバー３０９のカム溝３２５が適宜な形状に形成されていることで、嵌合操作力が低減されるようになっている。
【先行技術文献】
【特許文献】
【０００８】
【特許文献１】特開２００３−２４９３０３号公報
【発明の概要】
【発明が解決しようとする課題】
【０００９】
ところで、レバー式コネクタ３０１の構造を小型のコネクタに採用すると、コネクタに対するレバーの大きさが大きくなり、コネクタが小さくてもレバーがコネクタから突出してしまう。
【００１０】
小型コネクタでのレバーの突出を回避するために、レバーを小さく短くすると、支持軸からレバーの操作部までの長さが短くなり（力点と支点との間の距離の値が小さくなり）、支持軸からカム溝までの長さ（作用点と支点との間の距離）に対する比が小さくなるので（レバーのテコ比が小さくなるので）、両コネクタを接合するときのレバーの操作力（特に、接合終了直前における操作力）が大きくなってしまうという問題がある。
【００１１】
レバーを大きくすることなく、テコ比を大きくしてレバーの操作力（力点に加える力）を小さくするには、支持軸部３１７からカム溝３２５までの長さを短くすればよいのであるが、従来のものでは、レバー３０９の支持軸部３１７とカム溝３２５との間にレバー３０９の剛性を確保するための肉部３２７が必要なので、支持軸部３１７からカム溝３２５までの長さを極端に短くすることができず、支持軸部３１７からカム溝３２５までの長さを短くしてテコ比を大きくすることができないという問題がある。
【００１２】
本発明は、上記問題点に鑑みてなされたものであり、小型化してもテコ比を大きくすることでコネクタを接合するときの操作力が大きくなることを抑制することができるレバー式コネクタを提供することを目的とする。
【課題を解決するための手段】
【００１３】
請求項１に記載の発明は、相手側コネクタに接合されるコネクタと、前記相手側コネクタの所定の箇所に設けられている係合部が係合する細長い被係合部が設けられ、所定の回動中心軸を回動中心にして前記コネクタに回動自在に設けられ、前記係合部が前記被係合部に係合している状態で前記コネクタに対し回動することで前記係合部を前記被係合部の長手方向に沿って移動させ、前記コネクタを前記相手側コネクタに接合するレバーとを有し、前記被係合部は、前記回動中心軸のところから前記回動中心軸から離れるように延びており、前記回動中心軸のところでは前記回動中心軸に重なっているかもしくは前記回動中心軸に隣接しており、前記コネクタの前記相手側コネクタへの接合が進むにしたがって、前記係合部が前記被係合部の前記回動中心軸側に移動するように構成されているレバー式コネクタである。
【００１４】
請求項２に記載の発明は、請求項１に記載のレバー式コネクタにおいて、前記レバーは平板状に形成されていてこの厚さ方向が前記回動中心軸の延伸方向と一致しており、前記レバーの厚さ方向の一方の面には、前記レバーを前記回動中心軸まわりで回動させるための円柱状の回動被支持部が突出して設けられており、前記レバーの厚さ方向の他方の面には、前記被係合部が凹んで設けられており、前記係合部は、前記被係合部に入り込んでいる突起で形成されており、前記レバーの厚さ方向から見たときに、前記回動被支持部と、前記回動中心軸側の前記被係合部の部位とがお互いに重なっているかもしくは隣接しているレバー式コネクタである。
【００１５】
請求項３に記載の発明は、請求項２記載のレバー式コネクタにおいて、前記コネクタが前記相手側コネクタに接合されている状態を前記回動中心軸の延伸方向から見ると、前記レバーが前記コネクタの内側に入っているレバー式コネクタである。
【発明の効果】
【００１６】
本発明によれば、小型化してもテコ比を大きくすることでコネクタを接合するときの操作力が大きくなることを抑制することができるレバー式コネクタを提供することができるという効果を奏する。
【図面の簡単な説明】
【００１７】
【図１】本発明の実施形態に係るレバー式コネクタを相手側コネクタに接合した状態を示す正面図である。
【図２】図１におけるＩＩ−ＩＩ断面を概略的に示した図である。
【図３】（ａ）は本発明の実施形態に係るレバー式コネクタを構成しているメスコネクタの斜視図であり、（ｂ）は（ａ）におけるＩＩＩｂ矢視図である。
【図４】（ａ）は図３の（ａ）におけるＩＶａ矢視図であり、（ｂ）は図３の（ａ）におけるＩＶｂ矢視図であり、（ｃ）は図３の（ａ）におけるＩＶｃ矢視図である。
【図５】（ａ）は本発明の実施形態に係るレバー式コネクタを構成しているレバーの斜視図であり、（ｂ）はレバーの正面図であり、（ｃ）はレバーの別の斜視図である。
【図６】（ａ）は本発明の実施形態に係るレバー式コネクタを示す斜視図であり、（ｂ）は（ａ）におけるＶＩｂ−ＶＩｂ断面を概略的に示した図である。
【図７】本発明の実施形態に係るレバー式コネクタが接合される相手側コネクタを示す斜視図である。
【図８】本発明の実施形態に係るレバー式コネクタの分解斜視図である。
【図９】従来のレバー式コネクタを示す図である。
【図１０】従来のレバー式コネクタを示す図である。
【図１１】従来のレバー式コネクタを示す図である。
【発明を実施するための形態】
【００１８】
本発明の実施形態に係るレバー式コネクタ１は、図１や図６等で示すように、コネクタ（たとえばメスコネクタ）３とレバー５とを備えて構成されている。メスコネクタ３は、図７に示す相手側コネクタ（たとえばオスコネクタ）７に接合（たとえば嵌合設置）されるようになっている。
【００１９】
オスコネクタ７の所定の箇所には、係合部９が設けられている。レバー５には、図５等で示すように、オスコネクタ７の係合部９が係合する細長い被係合部１１が設けられている。また、レバー５は、図１等で示す回動中心軸Ｃ１を回動中心にしてメスコネクタ３に回動自在に設けられている。回動中心軸Ｃ１は、メスコネクタ３の所定の箇所に位置している。
【００２０】
係合部９が被係合部１１に係合している状態で、メスコネクタ３に対し所定の方向にレバー５が回動すると、係合部９が被係合部１１の長手方向に沿って移動し、カム作用によって、メスコネクタ３がオスコネクタ７に近づきオスコネクタ７に接合されるようになっている。
【００２１】
オスコネクタ７は、図７で示すように、合成樹脂等の絶縁性の材料で構成されたハウジング（オスコネクタハウジング）１３と、金属等の導電性材料で構成されオスコネクタハウジング１３に一体的に設けられている複数のオス端子１５とを備えて構成されている。
【００２２】
メスコネクタ３は、図８等で示すように、合成樹脂等の絶縁性の材料で構成されたハウジング（メスコネクタハウジング）１７と、金属等の導電性材料で構成されインナハウジング２７のキャビティに挿入されるメス端子１９とを備えて構成されている。レバー５は、合成樹脂等の絶縁性の材料で構成されている。
【００２３】
そして、レバー５がメスコネクタ３に回動自在に設置されており、オスコネクタ７とメスコネクタ３とがお互いに離れて非接合状態にあり、オスコネクタ７に対するメスコネクタ３の姿勢が所定の姿勢になっており、オスコネクタ７の係合部９がレバー５の被係合部１１に係合している状態（コネクタ接合準備完了状態）で、レバー５を所定の方向に回動すると、メスコネクタ３がオスコネクタ７に対して相対的に近づく方向に直線的に移動し、メスコネクタ３がオスコネクタ７に接合され、オス端子１５とメス端子１９とがお互いに接合されて導通するように構成されている。
【００２４】
メスコネクタ３がオスコネクタ７に接合されている状態から、レバー５を逆方向に回動させると、メスコネクタ３がオスコネクタ７から離れるようになっている。
【００２５】
レバー５は、テコを構成しており、力点（操作部）５５と支点と作用点とを有する。力点は、各コネクタ３，７を接合したり離したりするときに、レバー５を回動すべく人がレバー５に力（操作力）を加える箇所であり、支点は、回動中心軸Ｃ１であり、作用点は、オスコネクタ７の係合部９に係合している被係合部１１の部位（より精確には図１に示す中心軸Ｃ５）である。
【００２６】
レバー５の被係合部１１は、図１や図５で示すように、回動中心軸Ｃ１のところ（回動中心軸Ｃ１から僅かに離れたところ）から回動中心軸Ｃ１から離れるように延びており、回動中心軸Ｃ１のところでは回動中心軸Ｃ１に重なっている。
【００２７】
そして、コネクタ接合準備完了状態では、係合部９が被係合部１１の回動中心軸側とは反対側の端部（反回動中心側の端部）に位置しており、レバー５を回動させることによるメスコネクタ３のオスコネクタ７への接合が進むにしたがって、係合部９が被係合部１１の回動中心軸Ｃ１側に移動するようになっている。
【００２８】
また、メスコネクタ３のオスコネクタ７への接合が完了した状態では、図１で示すように、係合部９が被係合部１１の回動中心軸Ｃ１側の端部（回動中心軸Ｃ１側の端部）に位置するように構成されている。
【００２９】
なお、レバー５の被係合部１１が、回動中心軸Ｃ１のところで、回動中心軸Ｃ１に隣接（近接）している構成であってもよい。
【００３０】
レバー５の被係合部１１は、図５等で示すように、所定の幅で長く若干曲がって延びている。被係合部１１の幅方向は、被係合部１１の延伸方向（長手方向）に対して直交している。
【００３１】
係合部９は、図７等で示すように、円柱状等の所定形状の突起４７で構成されている。係合部９の直径は、被係合部１１の幅寸法と等しいか被係合部１１の幅寸法よりも僅かに小さくなっており、被係合部１１に係合することで係合部９がガイドされ、レバー５の回動により、係合部９が、被係合部１１に対してこの幅方向にはほとんど移動せず、被係合部１１のほぼ延伸方向にのみ移動するようになっている。
【００３２】
メスコネクタ３には、図３等で示すように、回動支持部２１が設けられており、レバー５には、図５等で示すように、回動被支持部２３が設けられており、レバー５の回動被支持部２３がメスコネクタ３の回動支持部２１に係合していることで、図１等で示すように、レバー５が、メスコネクタ３に対し回動中心軸Ｃ１を中心にして回動するようになっている。
【００３３】
レバー５の回動中心軸Ｃ１の延伸方向から見ると、回動被支持部２３は回動中心軸Ｃ１を中心とした円形状等の所定形状になっており、回動支持部２１も回動中心軸Ｃ１を中心とした円形等の所定形状になっており、回動被支持部２３の直径と回動支持部２１の直径とはお互いが等しくなっている。
【００３４】
また、レバー５の回動中心軸Ｃ１の延伸方向から見ると、図１や図５（ｂ）で示すように、被係合部１１の一端部（レバー５の回動中心軸Ｃ１側の端部）のところでは、レバー５の被係合部１１と回動被支持部２３とが（被係合部１１の一部と回動被支持部２３の一部とが）お互いに重なっている。この場合、被係合部１１の一端部のところで、被係合部１１の幅方向の中心線Ｃ３と、レバー５の回動中心軸Ｃ１とは、お互いが僅かに離れている。たとえば、被係合部１１の幅方向の中心線Ｃ３とレバー５の回動中心軸Ｃ１との間の距離（最小距離；メスコネクタ３をオスコネクタ７に設置し終えた状態における距離）Ｌ３が、被係合部１１の幅もしくは回動支持部２１や回動被支持部２３の直径と同程度か、それらよりも僅かに小さくなっているかもしくは僅かに大きくなっている。
【００３５】
なお、被係合部１１の一端部のところで、被係合部１１と回動被支持部２３とがお互いに重なっておらず隣接している形態であってもよい。
【００３６】
また、レバー５の支点は、上述したように、回動中心軸Ｃ１と一致しており、レバー５の作用点は、被係合部１１に係合している係合部９の中心軸Ｃ５（中心軸Ｃ５が存在する中心線Ｃ３の所定の位置）と一致している。そして、支点と力点との間の距離Ｌ１は一定であるが、支点と作用点との間の距離Ｌ３は、レバー５の回動角度によって変化するようになっており、メスコネクタ３のオスコネクタ７への接合をはじめるときには大きく、メスコネクタ３のオスコネクタ７への接合が進むにしたがって、次第に小さくなるように構成されている。
【００３７】
なお、支点と作用点との間の距離Ｌ３は、支点と力点との間の距離Ｌ１よりも小さい範囲内で変化するようになっている。
【００３８】
また、レバー５は、図５等で示すように、平板状に形成されており、レバー５の厚さ方向が回動中心軸Ｃ１の延伸方向と一致している。レバー５の厚さ方向の一方の面には、レバー５を回動中心軸Ｃ１まわりで回動させるための円柱状の回動被支持部２３が突出して設けられており、レバー５の厚さ方向の他方の面には、被係合部１１がレバー５の厚さ方向で凹み細長い溝状になって設けられている。
【００３９】
オスコネクタ７の係合部９は、レバー５の被係合部１１に入り込んでいる凸部で形成されている。レバー５の厚さ方向から見ると、図１で示すように、レバー５の回動被支持部２３と、回動中心軸Ｃ１側の被係合部１１の部位とがお互いに重なっている。しかしながら、回動被支持部２３とこれに重なっている回動中心軸Ｃ１側の被係合部１１の部位との間には、肉部２５が形成されているので、レバー５の厚さ方向で、回動被支持部２３とこれに重なっている回動中心軸Ｃ１側の被係合部１１の部位とは、肉部２５を間にしてお互いが離れている。
【００４０】
なお、上述したように、レバー５の厚さ方向から見て、レバー５の回動被支持部２３と、回動中心軸Ｃ１側の被係合部１１の部位とがお互いに隣接している構成であってもよい。
【００４１】
また、メスコネクタ３がオスコネクタ７に接合されている状態をレバー５の回動中心軸Ｃ１の延伸方向から見ると、図１で示すように、レバー５がメスコネクタ３の内側に入っている（位置している）。
【００４２】
ここで、レバー式コネクタ１やオスコネクタ７についてさらに詳しく説明する。
【００４３】
メスコネクタ３は、図６等で示すように、インナコネクタ（インナハウジング）２７とホルダ（リヤホルダ）２９と備えて構成されている。インナコネクタ２７とホルダ２９とは、合成樹脂等の絶縁性材料で構成されており、メスコネクタハウジング１７を構成している。また、メスコネクタ３には、絶縁性の材料で構成された防水シール部材３１とリテーナ３３とが設けられている。
【００４４】
ホルダ２９は、１つの平板状の底壁部３５と４つの平板状の側壁部３７（３７Ａ，３７Ｂ，３７Ｃ，３７Ｄ）とで矩形な枡状に形成されている。また、ホルダ２９には、矩形な平板状の上壁部３９が設けられている。上壁部３９は、矩形な枡の外側で、４つの平板状の側壁部３７のうちの１つの側壁部（天井壁部）３７Ａから所定の距離だけ離れて天井壁部３７Ａと平行になっている。
【００４５】
また、上壁部３９は、天井壁部３７Ａに隣接して天井壁部３７Ａから上壁部３９側へ突出している２つの側壁部３７Ｂ，３７Ｄによって、矩形な枡につながって一体化している。
【００４６】
上壁部３９と天井壁部３７Ａとの間には、レバー５が収容されるレバー収容部４１が形成されており、４つの側壁部３７と底壁部３５の内側には、インナコネクタ２７等が設置される空間４３が形成されている。
【００４７】
防水シール部材３１は、矩形な平板状に形成されており、リテーナ３３が設置されたインナコネクタ２７は、直方体状に形成されている。そして、メスコネクタ３では、ホルダ２９の空間４３内に防水シール部材３１が挿入されて設置され、さらに、インナコネクタ２７が設置されている。
【００４８】
なお、インナコネクタ２７には被係止部（図示せず）が設けられており、ホルダ２９には係止部（図示せず）が設けられており、インナコネクタ２７をホルダ２９に設置する途中の状態では、被係止部が弾性変形し、インナコネクタ２７をホルダ２９に設置し終えた状態では、被係止部が復元して被係止部が係止部に係止され、インナコネクタ２７のホルダ２９からの抜け止めがなされるようになっている。
【００４９】
また、メスコネクタ３では、インナコネクタ２７の複数のキャビティに複数のメス端子１９が挿入されるが、防水シール部材３１や底壁部３５には、各メス端子１９の挿入孔が形成されている。そして、メスコネクタ３がオスコネクタ７に接合された状態では、オスコネクタ７の各オス端子１５のそれぞれが、各メス端子１９のそれぞれに接続されるようになっている。
【００５０】
なお、各メス端子１９それぞれの反対側（接続されたオス端子１５とは反対側）からは電線（図示せず）が延出している。
【００５１】
なお、メスコネクタ３では、１つのホルダ２９に１つのインナコネクタ２７が設置されるようになっているが、１つのホルダ２９に複数のインナコネクタ２７が設置されるように構成されていてもよい。
【００５２】
上壁部３９の中央部には、上壁部３９をこの厚さ方向に貫通している円形（円柱）状の貫通孔４５が形成されている。貫通孔４５は、上述した回動支持部２１を構成している。また、天井壁部３７Ａには、オスコネクタ７の係合部９を構成する突起４７が入り込む切り欠き４９が形成されている（図６（ｂ）等参照）。
【００５３】
レバー５の厚さ方向の一方の面からは、回動被支持部２３を構成する円柱状の突起５１が形成されている。レバー５をこの厚さ方向から見ると突起５１は円形状になっている。突起５１の直径は、上壁部３９の貫通孔４５の直径とほぼ等しくなっており、突起５１の突出高さは、上壁部３９の厚さの値とほぼ等しいか上壁部３９のさの値よりも小さくなっている。レバー５の厚さの値は、天井壁部３７Ａと上壁部３９との間の距離の値（レバー収容部４１の厚さの値）とほぼ等しくなっている。
【００５４】
そして、レバー５の突起５１がメスコネクタ３の貫通孔４５に入り込むようにして、レバー５がレバー収容部４１内でメスコネクタ３に設置された状態で、レバー５がメスコネクタ３に対して、回動中心軸Ｃ１を回動中心にして回動のみをするようになっている。なお、レバー５の回動中心軸Ｃ１と突起５１の中心軸と貫通孔４５の中心軸とはお互いが一致している。
【００５５】
レバー５の厚さ方向の他方の面には、被係合部１１を構成するカム溝（上述した細長い溝）５３が形成されている。カム溝５３の断面形状（長手方向に対して直交する平面による断面形状）は、矩形状になっており、カム溝５３の幅は、たとえば、レバーの突起５１と同程度になっており、カム溝５３の深さの値は、平板状のレバー５の厚さの値よりも小さくなっている。これにより、上述した肉部２５が形成されている。
【００５６】
なお、レバー５がメスコネクタ３に設置された状態では、レバー５の操作部５５が、たとえばレバー収容部４１の外側に突出している。ただし、メスコネクタ３がオスコネクタ７に接合されている状態をレバー５の回動中心軸Ｃ１の延伸方向から見ると、上述したように、レバー５がメスコネクタ３の内側に入っている。
【００５７】
オスコネクタ７のハウジング１３は、図７で示すように、１つの平板状の底壁部５７と４つの平板状の側壁部５９（５９Ａ，５９Ｂ，５９Ｃ，５９Ｄ）とで矩形な枡状に形成されている。４つの平板状の側壁部５９のうちの１つの側壁部（天井壁部）５９Ａの中央部からは、係合部９を構成する円柱状の突起４７が突出している。突起４７は、オスコネクタ７の枡の外側に位置している。天井壁部５９Ａの厚さ方向から見ると、突起４７は円形状になっている。
【００５８】
突起４７の直径の値は、レバー５の被係合部１１を構成しているカム溝５３の幅の値と等しいかカム溝５３の幅の値より僅かに小さくなっており、突起４７の突出高さの値は、カム溝５３の深さの値よりも僅かに小さくなっている。各オス端子１５は、底壁部５７を貫通して延びている。
【００５９】
次に、メスコネクタ３のオスコネクタ７への設置について説明する。
【００６０】
初期状態（コネクタ接合準備完了状態）では、上述したように、オスコネクタ７の係合部９を構成している突起４７が、レバーの被係合部１１を構成しているカム溝５３の回動中心軸Ｃ１から最も離れている部位で、カム溝５３に入り込み係合している。
【００６１】
上記初期状態で、レバー５を所定の方向に回動すると、カム溝５３の長手方向でカム溝５３内を突起４７が回動中心軸Ｃ１側に移動することで、カム作用により、メスコネクタ３がオスコネクタ７に近づく。
【００６２】
レバー５を所定の方向にさらに回動すると、やがて、図１で示すように、突起４７がカム溝５３内の回動中心軸Ｃ１のところに位置し、メスコネクタ３のオスコネクタ７への設置が終了する。
【００６３】
なお、レバー５には被係止部が設けられており、メスコネクタ３には係止部が設けられており、メスコネクタ３をオスコネクタ７に設置する途中の状態では、被係止部が弾性変形し、メスコネクタ３をオスコネクタ７に設置し終えた状態では、被係止部が復元して被係止部が係止部に係止され、レバー５が回動せず、メスコネクタ３のオスコネクタ７からの抜け止めがされるようになっている。
【００６４】
レバー式コネクタ１によれば、被係合部１１が回動中心軸Ｃ１のところで回動中心軸Ｃ１に重なっており、メスコネクタ３のオスコネクタ７への接合が進むにしたがって、係合部９が被係合部１１の回動中心軸Ｃ１側に移動するように構成されているので、小型化してもテコ比（回動中心軸Ｃ１と係合部９の中心軸Ｃ５との間の距離Ｌ３に対する回動中心軸Ｃ１とレバー５の操作部５５との間の距離Ｌ１の値）大きくすることができ、各コネクタ３，７をお互いに接合するときのレバー５の操作力（特に、接合が終了する近くでの操作力）が大きくなることを抑制することができる。
【００６５】
また、レバー式コネクタ１を小型化すれば、レバー式コネクタ１の設置空間を小さくすることができ、レバー式コネクタ１の設置の制約が少なくなる。
【００６６】
また、レバー式コネクタ１によれば、レバー５が平板状に形成されていてこの厚さ方向が回動中心軸Ｃ１の延伸方向と一致しており、レバー５の厚さ方向の一方の面に円柱状の回動被支持部２３（突起５１）が突出して設けられており、レバー５の厚さ方向の他方の面に被係合部１１（カム溝５３）が凹んで設けられており、係合部９が被係合部１１に入り込んでいる突起（凸部）４７で形成されており、レバー５の厚さ方向から見たときに、回動被支持部２３と、回動中心軸Ｃ１側の被係合部１１の部位とがお互いに重なっているので、回動中心軸Ｃ１側の被係合部１１の部位と回動被支持部２３との間の肉部２５を容易に形成することができ、簡素な構成で、回動中心軸Ｃ１側の被係合部１１の部位におけるレバー５の剛性が低下することを抑制することができる。
【００６７】
また、レバー式コネクタ１によれば、メスコネクタ３がオスコネクタ７に接合されている状態を回動中心軸Ｃ１の延伸方向から見ると、レバー５がメスコネクタ３の内側に入っているので、レバー５が邪魔にならず、レバー５の引っ掛かり等による不用意な各コネクタ３，７の接合状態の解除が防止される。
【００６８】
なお、レバー式コネクタ１をカム装置に例えると、オスコネクタ７は従動節に相当し、メスコネクタ３はフレームに相当し、レバー５は動節に相当する。したがって、係合部９と被係合部１１とは高次対偶をなしている。また、レバー式コネクタ１は、正面カム装置に相当し、被係合部１１であるカム溝５３が動節であるレバー５に形成されているので、反対カムを形成している。さらに、オスコネクタ７に形成されている円柱状の突起４７がカム溝５３に入り込んでいて、カム溝５３の長手方向にのみ移動するようになっているので、確動カムに相当する。
【００６９】
なお、レバー式コネクタ１を次に示すように適宜変形してもよい。
【００７０】
被係合部１１をカム溝５３で構成することに代えて、カム突起（レバー５の厚さ方向の他方の面から所定の高さだけ突出している細長い１本の突起）で構成し、係合部９を、上記カム突起をこの幅方向で挟み込む一対の突起で構成してもよい。
【００７１】
また、メスコネクタ３の回動支持部２１を突起で形成し、レバー５には回動被支持部２３を貫通孔もしくは凹部で構成してもよい。
【００７２】
また、レバー５の厚さ方向の一方の面に、回動被支持部２３と被係合部１１とを設けてもよい。このようにすると、回動被支持部２３と被係合部１１とがお互いに干渉するが、この干渉によっても、円柱状の回動被支持部２３の円の外周が１／２以上（より好適には）２／３以上）残っていればよい。
【符号の説明】
【００７３】
１  レバー式コネクタ
３  コネクタ
５  レバー
７  相手側コネクタ
９  係合部
１１  被係合部
２３  回動被支持部
４７  突起
Ｃ１  回動中心軸
【図１】
2015056281.tif 000003
【図２】
2015056281.tif 000004
【図３】
2015056281.tif 000005
【図４】
2015056281.tif 000006
【図５】
2015056281.tif 000007
【図６】
2015056281.tif 000008
【図７】
2015056281.tif 000009
【図８】
2015056281.tif 000010
【図９】
2015056281.tif 000011
【図１０】
2015056281.tif 000012
【図１１】
2015056281.tif 000013